(57)【要約】 【課題】  本考案は、特に広い場所や公的な場所等で使用されるタイルカーペットに用いることができる蓄光表示部を有するタイルカーペットの提供を課題とし、更に応用範囲の広い製造のしやすいタイルカーペットの提供を課題とする。【解決手段】  係る課題は、繊維で形成したタイルカーペットであって、少なくとも一部に蓄光顔料を含有した繊維で形成した蓄光部を、該形状を切り抜いたタイルカーペットの繊維で形成した基部部分の切り抜き部分に前記蓄光部をはめ込み、更に裏面を裏地部で覆うことにより形成する蓄光部を有するタイルカーペットによって解決できる。【選択図】    図１
0003140201.tif 000002
【実用新案登録請求の範囲】
【請求項１】
繊維で形成したタイルカーペットであって、少なくとも一部に蓄光顔料を含有した繊維１１で形成した蓄光部１を、該形状を切り抜いたタイルカーペットの繊維２１で形成した基部２部分の切り抜き部分にはめ込み、更に裏面を裏地部３で覆うことにより形成することを特徴とする蓄光部を有するタイルカーペット。
【請求項２】
蓄光部１は、蓄光顔料を繊維に練りこみ又は浸漬、或いは塗布することにより該繊維に少なくとも蓄光顔料を含有する繊維１１をもって形成したことを特徴とする請求項１記載の蓄光部を有するタイルカーペット。
【請求項３】
少なくとも一部に蓄光顔料を含有した繊維１１で形成した蓄光部１及び／又は繊維２１で形成したタイルカーペットの基部２部分をループパイル又はカットパイルで形成したことを特徴とする請求項１又は２のいずれかに記載の蓄光部を有するタイルカーペット。
【請求項４】
蓄光部１が火災の際の出口表示その他の非常時のために必要となる表示からなるものであることを特徴とする請求項１乃至３のいずれかに記載の蓄光部を有するタイルカーペット。
【請求項５】
蓄光部１と基部２部分とを構成する繊維の材質が夫々異なることを特徴とする請求項１乃至４のいずれかに記載の蓄光部を有するタイルカーペット。
【請求項６】
蓄光部１と基部２部分とを構成する夫々のループパイル又はカットパイルの繊維高を異なる高さに形成したことを特徴とする請求項１乃至５のいずれかに記載の蓄光部を有するタイルカーペット。
【請求項７】
蓄光部１と、基部２部分とを構成する夫々の繊維の色及び模様を一致させたことを特徴とする請求項１乃至６のいずれかに記載の蓄光部を有するタイルカーペット。
【考案の詳細な説明】
【技術分野】
【０００１】
本考案は、蓄光部を有するタイルカーペットに関し、より具体的には基布に少なくとも一部に蓄光顔料を含有した繊維をループパイル又はカットパイルで形成した蓄光部を、該形状を切り抜いたタイルカーペットの該切り抜き部分にはめ込み、更に裏面をラバー又は塩ビ材等で構成する裏地部で覆うことにより形成する蓄光部を有するタイルカーペットに関する。
【背景技術】
【０００２】
従来より、蓄光材を用いた表示具としては各種のものが存在しており、例えば床材に用いるものとして特開平９−３０２９０４号（特許文献1）が存在する。
また、廊下において誘導する表示具として特開２００７−２０９５１４号（特許文献２）も存在する。
更に床材としては特開平８−３１２１０８号（特許文献３）も存在する。
或いは床パネルとして特開２００５−３０７６２０号（特許文献４）も存在する。
【０００３】
これらは床材として、非常時の照明が暗くなった場合にも非常時の表示例えば避難経路や特殊情報の提示等を行なえることを目的として提示されているものである。
更に蓄光性マットとして特開平９−２９９２１５号（特許文献５）及び特開平９−２９９３１３号（特許文献６）が存在する。
これらは何れもマットであり、その設置場所は出入り口であって、大きさや表示内容等は特定のものであればよいものである。
更に蓄光性のカーペットとしては特開２００２−１０５７６２号（特許文献７）が存在する。
【特許文献１】特開平９−３０２９０４号
【特許文献２】特開２００７−２０９５１４号
【特許文献３】特開平８−３１２１０８号
【特許文献４】特開２００５−３０７６２０号
【特許文献５】特開平９−２９９２１５号
【特許文献６】特開平９−２９９３１３号
【特許文献７】特開２００２−１０５７６２号
【考案の開示】
【考案が解決しようとする課題】
【０００４】
以上の様に、蓄光材料を床に用いる技術は各種存在する。
これは、進行方向の表示や安全のための非常時の表示例えば避難経路や特殊情報の提示等を行なうことが必要であり、例えば足元は多くの人が気にするものであることから床材において用いられるものが多用される。
更に、火災時などにおいては、周囲が見難くなっても足元は見られる場合が多く、安全性を確保する上で床材において係る表示を行なうことが行われる。
【０００５】
この場合特許文献１においては床タイル例えばビニールシートに穴を開けて底に蛍光材を入れるものであり、例えばこのビニールシートは一般的に人が多く集まる箇所等においては用いにくいものであり、更に高級感のあるカーペットを用い不特定多数の人が集まるような場所では使用できないものである。
又、特許文献２に示すような構成は面ファスナーをもってカーペットの廊下に着脱自在に装着する誘導表示具であるが、これは厚みがあるものであり、使用時には躓きや邪魔になるおそれが出るものであると共に、火災などの非常時を想定すると常時設置することが必要であり、使い勝手の点でより多くの改良が望まれるものである。
【０００６】
更に特許文献３はタイルカーペットに穴を開けてその穴の部分に誘導表示プレートを設置するものであるが、このプレートを用いることによってこの部分がカーペットではなくなり、場の雰囲気を壊すおそれがあり、該場所の高級感を損なうものとなるおそれがある。
特に不特定多数の人が集まる広い場所において不必要な凹凸部が出てしまうことは歩きにくさを生じさせるものであり、できうる限りこの様な硬質部分はない事が望まれてしまうものであることから、使い勝手の点で若干劣るものとなる。
【０００７】
更に特許文献４にも同様に床パネル上のカーペットに穴を開けてその穴部分に蓄光板を有する透光窓を設けたプレートを用いるものであって特許文献３と同様の欠点を有する。
又、特許文献５には発光マットが明示されているが、これは足拭きマットであって出入り口など特定の場所で用いられるものである。
この場合には出入り口近傍に設置するものであり、廊下の中央部分や広間の各所に非常時のために設置する案内としては全く用いることができないものである。
【０００８】
更に、足拭きマットはどうしても汚れなどを落とすことを目的として用いられるものであり、汚れ取りであることからどうしても高級感や清潔感をかもし出すものとは異なり、例えばホテル等の高級感をかもし出すことが必要な場所例えばホテルの廊下や大広間、或いは不特定多数の人が集まる各種会場や空港等においては床自体に安全性を有する何らかのカーペットを全体に配することが必要であり、見た目や雰囲気なども非常に大きなウエイトを占めるものである。
従って、係る状態に適切に対応できる例えばタイルカーペットなどに用いることのできることが必要であった。
【０００９】
更に、マットは、特定の場所例えば入り口や出口に設置するものであることからその表示内容は一定のものに特定されるものであり、前記のような場所に対応させるような各種のものは存在していないものであった。
又、前記文献は単に、パイル糸に発光繊維を用いて発光する領域と発光しない領域を作るものであることから夫々の領域を順次タフティングするものであって、その製造に際しては発光する領域と発光しない領域を一度に作るものとなる。
従って作業性が煩雑であるという欠点をどうしても有するものである。
【００１０】
次に、特許文献６は発光性マットの周端部に蓄光性のゴム等を用いたものであり、単にマットの位置を確認するためだけのものである。
又、特許文献７は、基布に少なくとも一部に蓄光顔料を含有した繊維をタフティングしてループパイル又はカットパイルして形成したカーペットを示すものであり、その製造内容やカーペットへの表示部分特定などは何ら明確にしていないものである。
本考案は特に、タイルカーペットに関するものであり、特定の大きさを有するこのタイルカーペットをもって広い範囲全体に満遍なくカーペットを敷くために多用されるものであり、廊下や広間など多様なところの床面を覆うために特に考案された特殊なものである。
【００１１】
即ち、タイルカーペットを使用するような場所即ち広い場所であって少なくともカーペットを引きつめる程度特殊な環境においては、不特定の人が使用する場所であり、安全のために非常時の表示例えば避難経路や特殊情報の提示等を行なうことは必要不可欠なものであることから係る場所に的確に配置できる非常時等に対応できるタイルカーペットの提供を目的とするものである。
これは、例えば非常時における各種表示に関しては壁面などに表示を行なうことは可能ではあるが、広い場所等ではその視認の効率はそれほど高いものではない。
例えば火災時などにおいては、足元はよく見えるが周囲は見難くなる場合もあり、足元で係る表示が可能となることによって、より高次元の安全性の確保が行なえるものである。
【００１２】
従って、広い場所である例えば広間や広い廊下など多様な場所に用いられるタイルカーペットはどうしても高級感等を有する場所において多用されるものであり、係る場所において違和感なく、かつこの上を歩く各人に対して何ら見劣りするようなことのないタイルカーペットとして用いられるものであることが要求されるものであり、これに対応することが必要とされる。
更に、通常のタイルカーペットはもともと基布にタフティングしてループパイル又はカットパイルにて形成してなるものであり、必要に応じて繊維の色等に変化をつけて模様を形成するものであったり、又は別途刺繍などを行い、別途模様をつけるものもある。
従って、仮に基布に順次タフティングしていくとどうしてもその表示を適切に表示するにはそのための高額な機器を必要とし、煩雑及び高価となってしまう。
【００１３】
以上より、タイルカーペットとして特にその特性を維持しつつ蓄光糸による表示の形成が可能となり、更には蓄光部分に関してタイルカーペットの質感を代えずにかつ全体として違和感のない他タイルカーペットの提供が望まれるものとなる。
更に製造時において、それぞれの設置場所の特質を考慮でき種々の表示部をきれいにかつ簡単に構成できると共に簡単に製造できる何らかの蓄光部を有するタイルカーペットの提供が望まれているものである。
特に製造に際してもコストを低く抑えられる蓄光部を有するタイルカーペットの提供が望まれているものである。
以上の通り、本考案は係る各種の課題を解決するために考案されたものである。
【課題を解決するための手段】
【００１４】
本考案は係る課題を見事に解決するものであり、係るため請求項１に係る考案は、繊維で形成したタイルカーペットであって、少なくとも一部に蓄光顔料を含有した繊維で形成した蓄光部を、該形状を切り抜いたタイルカーペットの繊維で形成した基部部分の切り抜き部分に前記蓄光部をはめ込み、更に裏面を裏地部で覆うことにより形成する蓄光部を有するタイルカーペットよりなり、係る考案によって解決できる。
又、請求項２に係る考案は、蓄光部が蓄光顔料を繊維に練りこみ又は浸漬、或いは塗布することにより該繊維に少なくとも蓄光顔料を含有する繊維をもって形成した蓄光部を有するタイルカーペットよりなり、係る考案であってもよい。
【００１５】
更に、請求項３に係る考案は、少なくとも一部に蓄光顔料を含有した繊維で形成した蓄光部及び／又は繊維で形成したタイルカーペットの基部部分をループパイル又はカットパイルで形成した蓄光部を有するタイルカーペットであって、この考案によっても同様に前記課題を解決できる。
これらの場合、請求項４に係る考案のように蓄光部が火災の際の出口表示その他の非常時のために必要となる表示からなるものであっても、或いは請求項５に係る考案のように蓄光部と基部部分とを構成する繊維の材質が夫々異なるものであってもよい。
又、請求項６に係る考案のように蓄光部と基部部分とを構成する夫々のループパイル又はカットパイルの繊維高を異なる高さに形成したものであっても、請求項７に係る考案のように蓄光部と、基部部分とを構成する夫々の繊維の色及び模様を一致させた蓄光部を有するタイルカーペットを用いたものであってもよい。
【考案の効果】
【００１６】
以上のように構成することによって、広い範囲や高級感を必要とする箇所に使用するタイルカーペットに対して蓄光表示を行なうことができるものであって、安全性の確保などができるものである。
特に広い場所において必要箇所に必要表示の有するタイルカーペットの提供を可能とするものであって、該必要表示が火災時の避難経路などであれば、広い箇所の任意の場所に任意の避難表示を行なうことができ、極めて有用な考案である。
特に請求項１に係る考案によれば、該蓄光表示を有するタイルカーペットの製造工程を簡略化でき、かつ見栄えのよいタイルカーペットの提供を行なえることとなる。
又、基部部分の切り抜き部分に前記蓄光部をはめ込むことから任意の各種表示を簡単に行なえるものである。
【００１７】
次に請求項２に係る考案によれば、各種の蓄光顔料を含有する繊維を用いればたり、応用範囲の広いタイルカーペットの提供を可能とする。
又、請求項３に係る考案によれば、蓄光部と基部部分をループパイル又はカットパイルにて形成するものであり、見栄えのよいタイルカーペットを提供できると共に各々異ならしめることによって、蓄光部と基部部分との差異を視認しやすくでき、蓄光部の視認性を高められる。
更に、請求項４に係る考案によれば、蓄光部に火災の際の出口表示その他の非常時のために必要となる表示を行なうことにより、避難経路などをタイルカーペットを敷き詰められる広い空間においても用いることができ、更に任意箇所に該表示を明示することを可能とする。
又、請求項５に係る考案によれば繊維の材質を異ならしめることによって、蓄光部と基部部分との差異を視認しやすくでき、蓄光部の視認性を高めることが可能となる。
【００１８】
次に請求項６に係る考案によれば、繊維高を異ならしめることによって蓄光部と基部部分との差異を視認しやすくでき、蓄光部の視認性を高めることができる。
又、請求項７に係る考案によればタイルカーペット敷設箇所が明るい際には、特定の表示は視認しにくいものとなり、例えば敷設場所に合わせた模様などをタイルカーペット全体に施すことを可能とするが、一旦該場所が暗くなった場合、例えば非常時などにおいては、該蓄光部によって特定の表示部が視認可能となるものである。
従って、非常時にのみ表示部を表出可能なタイルカーペットの提供を可能とするものである。
【考案を実施するための最良の形態】
【００１９】
図１は、本考案に係る蓄光部１を有するタイルカーペットの一実施の状態を示す図であり、タイルカーペットの中央部には上方向への矢印と更にその下部には非常出口の表示がなされている。
係るタイルカーペットは、基布に繊維をタフティングしてループパイル又はカットパイルにて形成したものである。
本図構成においては、中央部の上方向への矢印と更にその下部には非常出口の表示は夫々蓄光顔料を含有した繊維をタフティングしてカットパイルにて形成した蓄光部１からなるものであり、その余の部分は通常の繊維をタフティングしてカットパイルにて形成した基部２部分からなるタイルカーペットである。
【００２０】
係る場合、蓄光顔料を含有した繊維のカットパイル部分からなる蓄光部１は、通常の繊維のカットパイル部の基部２部分の切り抜いた部分にはめ込まれて成形しているものであり、裏地部３として塩化ビニールを用いて全体を構成するものである。
これによって簡単に一部に蓄光部１を有するタイルカーペットを製造できるものである。
この場合蓄光部１の蓄光顔料を含有した繊維に関しては、繊維自体に高含有量で繊維を形成したものであっても、或いは少なくとも暗所にて光る程度の低含有量の蓄光顔料を含有して成形した繊維をもって形成してもよい。
【００２１】
或いは蓄光顔料を高含有量で繊維を形成し、更に通常の繊維に織り交ぜて或いは撚り合わせて等を行い、蓄光顔料を含有する繊維を少なくとも一部に有する繊維をもって形成したものであってもよい。
更に本図構成においては、蓄光部１の繊維はカットパイルよりなり、他の部分は通常の繊維をカットパイルとしてタイルカーペットを形成したものであり、両者の境をより明瞭としたものである。
この場合、蓄光部１のカットパイル部分は床面からの繊維高が、その他のカットパイルの繊維高よりも低く形成しているものである。
これによって、前記境を明確にすると共に見た目の繊維の印象も異ならしめることができ、見栄えを高められる。
【００２２】
尚、この繊維高の相違に関しては一例であり、例えば両者ともループパイルを用いても、或いは夫々ループパイルとカットパイルに区分けをして用いてもよい。
更にはカットアンドループパイル、或いはハイローループパイルをもっていずれか或いは双方を構成したものであってもよい。
又、繊維高にしても、図に示すように蓄光部１の繊維を低くしたものの他、両者とも同じ高さのものであってもよく、或いは蓄光部１の繊維を高く形成したものであってもよい。
【００２３】
尚、本考案における繊維材に関しては、例えばポリエステル繊維、ナイロン繊維、セルロース繊維、ポリプロピレン繊維、アクリル繊維等その他の各種樹脂繊維をもって形成したものであってよく、一般的にタイルカーペットに用いられる繊維を持ってすればよい。
又、この他、毛、麻、綿、絹などの繊維をもって形成したものであってもよい。
更に蓄光部１に関しても、少なくとも蓄光顔料を練りこみ又は浸漬、或いは塗布など可能なものであればよく、蓄光効果を発揮可能な状態に繊維を形成するものであればよい。
【００２４】
図２は、図１のＡ−Ａ線断面図である。
本図に示すように矢印部分の蓄光部１の繊維１１はカットパイルであり繊維高を低く形成し、その他の一般的な繊維２１をもって形成した部分である基部２部分はカットパイルであり繊維高を高く形成したものである。
具体的には、このタイルカーペットの蓄光部１は基布１０に蓄光顔料を含有した繊維１１をタフティングしてカットパイルにて繊維高を低く形成したものであり、タイルカーペットの基部２部分も基布２０に通常の繊維２１をタフティングしてカットパイルにて繊維高を高く形成したものよりなる。
尚、以上においては基布に繊維をタフティングして行なうタフティングカーペットを前提として説明したが、この他ウィルトンカーペットであっても、或いはアキスミンスターカーペットであってもよい。
【００２５】
図３は、図１に示すタイルカーペットの蓄光顔料を含有した繊維１１の蓄光部１を、通常の繊維２１の基部２部分の切り抜いた部分にはめ込み、更に裏地として塩化ビニールである裏地部３を用いて製造する際の工程の概略の一例を示す図である。
本図のようにそれぞれを必要な繊維で成形した後に嵌め合わせて本考案に係るタイルカーペットを形成するものである。
従って、任意の蓄光顔料を含有した繊維のパイル部分からなる蓄光部１を任意に形成でき、各種の表示などを施した各タイルカーペットを任意にかつ簡単に製造できるものである。
【００２６】
尚、例えば蓄光顔料を含有した繊維１１のパイル部からなる蓄光部１と、通常の繊維２１のパイル部からなる基部２部分に関して、同色の繊維又は同模様の色彩を施すことによって、あたかも一色のタイルカーペットとして用いることができ、暗所となった際には蓄光顔料を含有した繊維のパイル部分のみが発光し、必要な表示を浮き上がらせることも可能となる。
図４は、本考案に係るタイルカーペットを広い場所に多数敷き詰めた状態の一例を示す図である。
【００２７】
本図に示すように例えば図１に示す表示、即ち矢印と「非常口」の表示を有するパイル部からなる蓄光部１のあるタイルカーペットのほか、該表示の『非常出口』を『ＥＸＩＴ』として表示したものであってもよい。
或いは『ＥＭＥＲＧＥＮＣＹ  ＥＸＩＴ』とするものであってもよい。
更に例えば消火栓或いは消火器の場所を示す表示本図では「消火器」の表示を有するものであってもよい。
又は、いわゆる非常出口を表示するマークを有するものであってもよい。
【００２８】
以上のように極めて実用性の高いタイルカーペットの提供を可能とするものであり、更には広い場所等においても高級感をもって配設できる極めて使い勝手のよいタイルカーペットの提供ができるものである。
更には係るタイルカーペットは簡単に製造でき、又各種の表示を有する構成を任意に製造できるものである。
【図面の簡単な説明】
【００２９】
【図１】本考案に係る蓄光部を有するタイルカーペットの一実施の状態を示す図
【図２】図１のＡ−Ａ線断面図
【図３】図１に示す本考案に係るタイルカーペットの製造工程の一例を示す図
【図４】、本考案に係るタイルカーペットを広い場所に多数敷き詰めた状態の一例を示す図
【符号の説明】
【００３０】
１    蓄光部
１０  基布
１１  蓄光顔料を含有した繊維
２    基部
２０  基布
２１  通常の繊維
３    裏地部
【図１】
0003140201.tif 000003
【図２】
0003140201.tif 000004
【図３】
0003140201.tif 000005
【図４】
0003140201.tif 000006